Podtech/llm-jp-corpus-v4-ja_patent huggingface dataset:
【手続補正書】
【提出日】令和2年1月30日(2020.1.30)
【手続補正１】
【補正対象書類名】明細書
【補正対象項目名】発明の名称
【補正方法】変更
【補正の内容】
【発明の名称】無線装置
【手続補正２】
【補正対象書類名】明細書
【補正対象項目名】０００１
【補正方法】変更
【補正の内容】
【０００１】
本発明の実施形態は、無線装置に関する。
【手続補正３】
【補正対象書類名】明細書
【補正対象項目名】０００７
【補正方法】変更
【補正の内容】
【０００７】
そこで、実施形態は、キャリアセンスによる空きチャネルの決定を迅速に行うことができる無線装置を提供することを目的とする。
【手続補正４】
【補正対象書類名】明細書
【補正対象項目名】０００８
【補正方法】変更
【補正の内容】
【０００８】
実施形態の無線装置は、所定の周波数帯域の信号を受信する受信部と、第１の信号の受信に応じて、前記受信部において受信された前記所定の周波数帯域に含まれる複数のチャネルの信号を同時に受信し、各チャネルの信号に基づいて前記各チャネルの使用状態を検出するキャリアセンスを行うキャリアセンス部と、所定の決定ルールに従って、前記キャリアセンス部において検出された前記各チャネルの前記使用状態に基づいて、第２の信号の送信又は受信のための空きチャネルを決定する空きチャネル決定部と、を有する。
【手続補正５】
【補正対象書類名】特許請求の範囲
【補正対象項目名】全文
【補正方法】変更
【補正の内容】
【特許請求の範囲】
【請求項１】
所定の周波数帯域の信号を受信する受信部と、
第１の信号の受信に応じて、前記受信部において受信された前記所定の周波数帯域に含まれる複数のチャネルの信号を同時に受信し、各チャネルの信号に基づいて前記各チャネルの使用状態を検出するキャリアセンスを行うキャリアセンス部と、
所定の決定ルールに従って、前記キャリアセンス部において検出された前記各チャネルの前記使用状態に基づいて、第２の信号の送信又は受信のための空きチャネルを決定する空きチャネル決定部と、
を有する無線装置。
【請求項２】
所定の周波数帯域の信号を受信する受信部と、
所定の信号の受信に応じて、前記受信部において受信された前記所定の周波数帯域に含まれる複数のチャネルの信号を同時に受信し、各チャネルの信号に基づいて前記各チャネルの使用状態を検出するキャリアセンスを行うキャリアセンス部と、
所定の決定ルールに従って、前記キャリアセンス部において検出された前記各チャネルの前記使用状態に基づいて、第２の信号の送信又は受信のための空きチャネルを決定する空きチャネル決定部と、
前記空きチャネル決定部において決定された前記空きチャネルを利用して送信すべき前記第２の信号を送信する送信部と、
を有する無線装置。
【請求項３】
前記受信部は、前記空きチャネルの周波数帯域の信号により復調してベースバンド信号に変換することにより前記第２の信号を受信する、請求項２に記載の無線装置。
【請求項４】
前記所定の信号は、前記所定の周波数帯域とは異なる周波数帯域の信号である、請求項２又は３に記載の無線装置。
【請求項５】
前記所定の信号は、法律上キャリアセンスを必要とされない周波数帯域の信号である、請求項２から４のいずれか１つに記載の無線装置。
【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
大気圧よりも減圧された雰囲気において、平面形状が四角形の基板にプラズマ処理を施す処理部と、
前記処理を施す際の圧力よりも高い圧力の環境において、前記基板を搬送する搬送部と、
前記処理部と、前記搬送部と、の間に設けられたロードロック部と、
前記ロードロック部と、前記処理部と、の間に設けられた受け渡し部と、
を備え、
前記ロードロック部は、
前記基板を支持する支持部と、
前記支持部の回転方向における位置を移動させる駆動部と、
を有し、
前記処理部は、
内部にプラズマ発生領域を有する処理容器と、前記プラズマ発生領域にプロセスガスを供給するガス供給部と、前記プラズマ発生領域に電磁エネルギーを供給するプラズマ発生部と、処理容器内に配置された載置部を有し、前記載置部に載置され、前記プラズマ発生領域に一方の面が対向した基板に対して前記プラズマ発生領域で生成されたプラズマ生成物によってプラズマ処理を行い、
前記受け渡し部は、前記処理部におけるプラズマ処理の途中において、前記処理部から前記支持部に前記基板を受け渡し、
前記駆動部は、前記受け渡された基板の回転方向における位置を移動させ、かつ、前記基板の辺が延びる方向が、前記受け渡し部の中心と、前記支持部が設けられる領域の中心と、を結ぶ線と平行または垂直となるように、前記受け渡された基板の回転方向における位置を移動させ、
前記受け渡し部は、回転方向における位置を移動させた前記基板を前記ロードロック部から取り出して前記処理部に受け渡し、
前記処理部は、回転方向における位置を移動させた前記基板に残りのプラズマ処理を施す基板処理装置。
【請求項２】
前記駆動部は、前記受け渡された基板の回転方向における位置を９０°×ｎ（ｎは自然数）移動させる請求項１記載の基板処理装置。
【請求項３】
前記ｎは３以下であることを特徴とする請求項２記載の基板処理装置。
【請求項４】
前記駆動部は、前記搬送部と、前記支持部と、の間で前記基板を受け渡す際には、前記支持部に受け渡された前記基板の辺が延びる方向が、前記搬送部による搬送方向と平行または垂直となるように、前記受け渡された基板の回転方向における位置を移動させる請求項１〜３のいずれか一つに記載の基板処理装置。
【請求項５】
前記受け渡し部は旋回軸を有する移載部を有し、
前記ロードロック部は、ロードロック室と、前記ロードロック室の対向する壁にそれぞれ設けられた開口部を有し、
一方の壁に設けられた前記開口部を介して前記搬送部が前記ロードロック室に侵入し、他方の壁に設けられた前記開口を介して前記受け渡し部の移載部が前記ロードロック室に侵入し、
前記ロードロック室を平面視したとき、前記搬送部が侵入する開口部の中心よりも、前記前記移載部が侵入する開口部の中心の方が前記旋回軸側に寄るように、それぞれの開口部がロードロック室に設けられている請求項１〜４のいずれか一つに記載の基板処理装置。
【請求項６】
大気圧よりも減圧された第１の環境において、プラズマ発生領域にプロセスガスと電磁エネルギーを供給することで生成されたプラズマ生成物によって、前記プラズマ発生領域に一方の面が対向し、平面形状が四角形である基板にプラズマ処理を施す工程と、
前記基板にプラズマ処理を施す工程における処理の途中において、前記基板を、前記第１の環境から、前記第１の環境から離隔した第２の環境に移動させる工程と、
前記第２の環境において、前記基板の回転方向における位置を移動させ、かつ、前記基板の辺が延びる方向が、前記受け渡し部の中心と、前記支持部が設けられる領域の中心と、を結ぶ線と平行または垂直となるように、前記受け渡された基板の回転方向における位置を移動させる工程と、
回転方向における位置を移動させた前記基板を前記第２の環境から前記第１の環境に移動させて残りのプラズマ処理を施す工程と、
を備える基板処理方法。
【請求項７】
前記基板の回転方向における位置を移動させる工程において、前記基板の回転方向における位置を９０°×ｎ（ｎは自然数）移動させる請求項６記載の基板処理方法。
【請求項８】
前記ｎは３以下である請求項７記載の基板処理方法。
【手続補正２】
【補正対象書類名】明細書
【補正対象項目名】０００５
【補正方法】変更
【補正の内容】
【０００５】
実施形態に係る基板処理装置は、
大気圧よりも減圧された雰囲気において、平面形状が四角形の基板にプラズマ処理を施す処理部と、
前記処理を施す際の圧力よりも高い圧力の環境において、前記基板を搬送する搬送部と、
前記処理部と、前記搬送部と、の間に設けられたロードロック部と、
前記ロードロック部と、前記処理部と、の間に設けられた受け渡し部と、
を備え、
前記ロードロック部は、
前記基板を支持する支持部と、
前記支持部の回転方向における位置を移動させる駆動部と、
を有し、
前記処理部は、
内部にプラズマ発生領域を有する処理容器と、前記プラズマ発生領域にプロセスガスを供給するガス供給部と、前記プラズマ発生領域に電磁エネルギーを供給するプラズマ発生部と、処理容器内に配置された載置部を有し、前記載置部に載置され、前記プラズマ発生領域に一方の面が対向した基板に対して前記プラズマ発生領域で生成されたプラズマ生成物によってプラズマ処理を行い、
前記受け渡し部は、前記処理部におけるプラズマ処理の途中において、前記処理部から前記支持部に前記基板を受け渡し、
前記駆動部は、前記受け渡された基板の回転方向における位置を移動させ、かつ、前記基板の辺が延びる方向が、前記受け渡し部の中心と、前記支持部が設けられる領域の中心と、を結ぶ線と平行または垂直となるように、前記受け渡された基板の回転方向における位置を移動させ、
前記受け渡し部は、回転方向における位置を移動させた前記基板を前記ロードロック部から取り出して前記処理部に受け渡し、
前記処理部は、回転方向における位置を移動させた前記基板に残りのプラズマ処理を施すことを特徴とする。
【手続補正書】
【提出日】令和2年9月2日(2020.9.2)
【手続補正１】
【補正対象書類名】特許請求の範囲
【補正対象項目名】全文
【補正方法】変更
【補正の内容】
【特許請求の範囲】
【請求項１】
テキストを含むウェブページのデータを保持し、端末に前記ウェブページを提供するウェブページ提供装置であり、
前記端末からの前記ウェブページの要求を受けると前記端末に設定されている使用言語の情報を取得し、
前記端末の使用言語が前記ウェブページで使用されている使用言語と同じであるか否かを判断し、
前記端末の使用言語が前記ウェブページで使用されている使用言語と異なれば、前記ウェブページの使用言語を翻訳元言語とし、前記端末の使用言語を翻訳先言語として、前記ウェブページの前記テキストの翻訳を要求し、
前記端末の使用言語が前記ウェブページで使用されている使用言語と同じであれば、前記ウェブページを前記端末に送信し、
前記の処理の結果、前記端末の使用言語と同じ言語のテキストを含むウェブページが前記端末に送信される、ウェブページ提供装置。
【請求項２】
前記翻訳の要求として、前記端末の使用言語および前記ウェブページの使用言語の情報と前記ウェブページのデータとをウェブページ翻訳装置に送信し、
前記テキストの部分を前記翻訳後のテキストに置き換えた前記ウェブページのデータが前記ウェブページ翻訳装置により、前記端末に送信される、
請求項１に記載のウェブページ提供装置。
【請求項３】
前記翻訳の要求として、前記端末の使用言語および前記ウェブページの使用言語の情報と前記ウェブページの前記テキストのデータとをウェブページ翻訳装置に送信し、
前記テキストの部分を翻訳した翻訳後のテキストを、前記ウェブページ翻訳装置から受信し、
前記テキストの部分を前記翻訳後のテキストに置き換えられた前記ウェブページのデータを前記端末に送信する、
請求項１に記載のウェブページ提供装置。
【請求項４】
前記端末の使用言語は、前記端末がアクセスする際に使用するブラウザに登録されている言語情報が示す言語である、
請求項１から請求項３いずれかに記載のウェブページ提供装置。
【請求項５】
前記端末の使用言語は、前記端末上で動作するオペレーティングシステムに設定されている言語情報が示す言語である、
請求項１から請求項３いずれかに記載のウェブページ提供装置。
【請求項６】
翻訳の実行を制御するアプリケーションプログラミングインタフェースを介してウェブページ翻訳装置と連携する、
請求項１から請求項５いずれかに記載のウェブページ提供装置。
【請求項７】
前記端末に設定されている使用言語の情報を取得できなかった場合は、翻訳されていない元の前記ウェブページを前記端末に送信する、
請求項１から請求項６いずれか一項に記載のウェブページ提供装置。
【請求項８】
前記ウェブページには、データベースに基づくテキストを前記ウェブページに表示する埋め込み型コンテンツが含まれ、
前記端末の使用言語が前記埋め込み型コンテンツの使用言語と一致するか否か判定し、
前記端末の使用言語が前記埋め込み型コンテンツの使用言語と異なれば、前記ウェブページのデータの前記埋め込み型コンテンツの使用言語を当該埋め込み型コンテンツの翻訳元言語とし、前記端末の使用言語を当該埋め込み型コンテンツの翻訳先言語とする内部翻訳要求を含む要求を行う、請求項１から請求項７いずれか一項に記載のウェブページ提供装置。
【請求項９】
テキストを含むウェブページのデータを保持し、端末に前記ウェブページを提供するウェブページ提供装置であって、
前記端末からの前記ウェブページの要求を受信する受信部と、
前記受信部にて前記要求が受信されると、前記端末に設定されている使用言語の情報を取得し、前記端末の使用言語が前記ウェブページで使用されている使用言語と一致するか異なるか判定する翻訳要否判定部と、
前記端末の使用言語が前記ウェブページで使用されている使用言語と同じであれば、前記ウェブページを前記端末に送信し、前記端末の使用言語が前記ウェブページで使用されている使用言語と異なれば、前記端末の使用言語および前記ウェブページの使用言語の情報と前記ウェブページの前記テキストのデータとをウェブページ翻訳装置に送信する送信部と、
を有するウェブページ提供装置。
【請求項１０】
テキストを含むウェブページのデータを保持し、端末に前記ウェブページを提供するウェブページ提供装置における情報処理方法であって、受信部と、翻訳要否判定部と、送信部とにより実現される情報処理方法であって、
前記受信部が、前記端末からの前記ウェブページの要求を受信する受信ステップと、
前記翻訳要否判定部が、前記受信ステップにて前記要求が受信されると、前記端末に設定されている使用言語の情報を取得し、前記端末の使用言語が前記ウェブページで使用されている使用言語と一致するか異なるか判定する翻訳要否判定ステップと、
前記送信部が、前記端末の使用言語が前記ウェブページで使用されている使用言語と同じであれば、前記ウェブページを前記端末に送信し、前記端末の使用言語が前記ウェブページで使用されている使用言語と異なれば、前記端末の使用言語および前記ウェブページの使用言語の情報と前記ウェブページの前記テキストのデータとをウェブページ翻訳装置に送信する送信ステップとを具備する情報処理方法。
【請求項１１】
テキストを含むウェブページのデータが格納される格納部にアクセス可能なコンピュータを、
端末から前記ウェブページの要求を受信する受信部と、
前記受信部にて前記要求が受信されると、前記端末に設定されている使用言語の情報を取得し、前記端末の使用言語が前記ウェブページで使用されている使用言語と一致するか異なるか判定する翻訳要否判定部と、
前記端末の使用言語が前記ウェブページで使用されている使用言語と同じであれば、前記ウェブページを前記端末に送信し、前記端末の使用言語が前記ウェブページで使用されている使用言語と異なれば、前記端末の使用言語および前記ウェブページの使用言語の情報と前記ウェブページの前記テキストのデータとをウェブページ翻訳装置に送信する送信部として機能させるためのプログラム。
【手続補正２】
【補正対象書類名】明細書
【補正対象項目名】発明の名称
【補正方法】変更
【補正の内容】
【発明の名称】ウェブページ提供装置、情報処理方法およびプログラム
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
疾患を含む医用画像および前記疾患に関する記載を含む読影レポートを表示部に表示する表示制御部と、
前記医用画像における前記疾患の領域および前記読影レポートにおける前記疾患に関する記載のいずれか一方に対する修正指示に応じて、前記医用画像における前記疾患の領域および前記読影レポートにおける前記疾患に関する記載の他方を修正する修正部とを備えた医用画像表示装置。
【請求項２】
前記読影レポートは、前記医用画像における前記疾患の領域が疾患であることの確信度を含む請求項１に記載の医用画像表示装置。
【請求項３】
前記医用画像は脳画像であり、前記疾患は脳梗塞である請求項１または２に記載の医用画像表示装置。
【請求項４】
前記読影レポートは、同一患者の過去の読影レポートと関連付けられてなる請求項１から３のいずれか１項に記載の医用画像表示装置。
【請求項５】
前記読影レポートは前記過去の読影レポートに関連付けられた前記同一患者の過去の医用画像と関連付けられてなる請求項４に記載の医用画像表示装置。
【請求項６】
前記読影レポートは、ＡＳＰＥＣＴＳを含む、請求項１から５のいずれか１項に記載の医用画像表示装置。
【請求項７】
前記医用画像を解析して前記疾患に関する解析結果を取得する解析部をさらに備えた請求項１から６のいずれか１項に記載の医用画像表示装置。
【請求項８】
前記解析結果に基づいて前記読影レポートを作成する読影レポート作成部をさらに備えた請求項７に記載の医用画像表示装置。
【請求項９】
疾患を含む医用画像および前記疾患に関する記載を含む読影レポートを表示部に表示し、
前記医用画像における前記疾患の領域および前記読影レポートにおける前記疾患に関する記載のいずれか一方に対する修正指示に応じて、前記医用画像における前記疾患の領域および前記読影レポートにおける前記疾患に関する記載の他方を修正する医用画像表示方法。
【請求項１０】
疾患を含む医用画像および前記疾患に関する記載を含む読影レポートを表示部に表示する手順と、
前記医用画像における前記疾患の領域および前記読影レポートにおける前記疾患に関する記載のいずれか一方に対する修正指示に応じて、前記医用画像における前記疾患の領域および前記読影レポートにおける前記疾患に関する記載の他方を修正する手順とをコンピュータに実行させる医用画像表示プログラム。
【手続補正２】
【補正対象書類名】明細書
【補正対象項目名】００１２
【補正方法】変更
【補正の内容】
【００１２】
また、本発明による医用画像表示装置においては、読影レポートは過去の読影レポートに関連付けられた同一患者の過去の医用画像と関連付けられてなるものであってもよい。
【手続補正３】
【補正対象書類名】明細書
【補正対象項目名】００１６
【補正方法】変更
【補正の内容】
【００１６】
この場合、解析結果に基づいて読影レポートを作成する読影レポート作成部をさらに備えるものであってもよい。
【手続補正４】
【補正対象書類名】明細書
【補正対象項目名】００５８
【補正方法】変更
【補正の内容】
【００５８】
第２の実施形態においては、表示制御部２３は、医用画像およびＡＳＰＥＣＴＳを含む読影レポートをディスプレイ１４に表示する。図９は第２の実施形態において、ディスプレイ１４に表示された医用画像およびＡＳＰＥＣＴＳを含む読影レポートを示す図である。図９に示すように、第２の実施形態においては、医用画像として、脳の基底核レベルの断層画像Ｓ１１および脳の放射冠レベルの断層画像Ｓ１２が表示される。なお、断層画像Ｓ１１，Ｓ１２は、人体の足側から頭側に向かって脳を見た画像となっている。このため、図９に示す断層画像Ｓ１１，Ｓ１２においては、右側が左脳、左側が右脳となっている。また、図９に示すように断層画像Ｓ１１および断層画像Ｓ１２には、ＡＳＰＥＣＴＳの１０の領域が示されている。また、梗塞を含む領域については強調表示されている。図９においては、強調表示を斜線を付与することにより示している。また、読影レポートＲ１１はＡＳＰＥＣＴＳにおける左右の脳の１０領域について梗塞領域を含むか否かについてのチェックおよびＡＳＰＥＣＴＳを含む。ここで、第２の実施形態においては、右脳には梗塞領域が抽出されていないため、いずれの領域も断層画像Ｓ１１，Ｓ１２において強調表示されておらず、読影レポートＲ１１のいずれの領域に対してもチェックがなされていない。このため、右脳についてはＡＳＰＥＣＴＳは１０点である。また、左脳には領域Ｍ５において梗塞領域が抽出されているため、断層画像Ｓ１２の領域Ｍ５が強調表示されており、読影レポートＲ１１の左脳の領域Ｍ５にチェックが付与されている。このため、左脳についてはＡＳＰＥＣＴＳは９点である。
【手続補正５】
【補正対象書類名】明細書
【補正対象項目名】００６１
【補正方法】変更
【補正の内容】
【００６１】
一方、第２の実施形態においても、修正部２４は、医用画像Ｇ０における疾患領域および読影レポートＲ０における疾患領域に関する記載のいずれか一方に対する修正指示に応じて、医用画像Ｇ０における疾患領域および読影レポートＲ０における疾患領域に関する記載の他方を修正する。すなわち、第２の実施形態においては、操作者が読影レポートＲ１１を修正すると、断層画像Ｓ１１，Ｓ１２が修正される。例えば、図１０に示すように、読影レポートＲ１１において右脳の領域Ｍ２にチェックを付与すると、修正部２４は断層画像Ｓ１１における右脳の領域Ｍ２を強調表示する。一方、断層画像Ｓ１１における右脳の領域Ｍ２を強調表示する指示を行うと、修正部２４は、読影レポートＲ１１における右脳の領域Ｍ２にチェックを付与する。いずれの場合も、右脳のＡＳＰＥＣＴＳは９点となる。
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
光源部が取り付けられるバトンと；
前記バトンに設けられ、外部から入力され制御部によって変換された調光信号によって直流電流を前記光源部へ出力する電源部と；
を備える照明システム。
【請求項２】
前記バトンは、前記光源部に設けられた前記光源部の個別のIDが格納された読出部から前記個別のIDを受信可能な読取部を有する請求項１に記載の照明システム。
【請求項３】
前記読取部は、一定時間ごとに前記読出部から無線通信手段により前記個別のIDを受信することを特徴とする請求項２に記載の照明システム。
【請求項４】
前記読取部は、電磁波による近接無線通信手段により前記読出部から前記個別のIDを受信することを特徴とする請求項２または３に記載の照明システム。
【手続補正２】
【補正対象書類名】明細書
【補正対象項目名】０００６
【補正方法】変更
【補正の内容】
【０００６】
本発明の実施形態である照明システムは、光源部が取り付けられるバトンと、前記バトンに設けられ、外部から入力され制御部によって変換された調光信号によって直流電流を前記光源部へ出力する電源部と、を備える。
【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
ポリオレフィン系多孔膜（Ａ）と、融点（融点がないものは分解温度）が２００℃以上である微小繊維とバインダとを含む不織布からなる耐熱層（Ｂ）とを含む二次電池用セパレータ。
【請求項２】
微小繊維の５％重量減少温度が２００℃以上である請求項１に記載の二次電池用セパレータ。
【請求項３】
微小繊維がアラミド繊維である請求項１又は２に記載の二次電池用セパレータ。
【請求項４】
バインダが水系バインダである請求項１〜３の何れか１項に記載の二次電池用セパレータ。
【請求項５】
バインダが、多糖類誘導体（１）、下記式（２）で表される構成単位を有する化合物、及び下記式（３）で表される構成単位を有する化合物から選択される少なくとも１種である請求項１〜４の何れか１項記載の二次電池用セパレータ。
【化１】
2019149361.tif 000001
（式中、Ｒは水酸基、カルボキシル基、フェニル基、Ｎ−置換又は無置換カルバモイル基、又は２−オキソ−１−ピロリジニル基を示す）
【化２】
2019149361.tif 000002
（式中、ｎは２以上の整数を示し、Ｌはエーテル結合又は（−ＮＨ−）基を示す）
【請求項６】
バインダが、セルロース、デンプン、グリコーゲン、及びこれらの誘導体から選択される少なくとも１種である請求項１〜４の何れか１項に記載の二次電池用セパレータ。
【請求項７】
多孔質基材層（Ａ）と、下記耐熱層（Ｂ）とを含む二次電池用セパレータ。
耐熱層（Ｂ）：融点（融点がないものは分解温度）が２００℃以上である微小繊維とバインダとを含む不織布からなり、
前記バインダが、セルロース、デンプン、グリコーゲン、及びこれらの誘導体から選択される少なくとも１種を含み、
前記バインダの含有量が微小繊維１０重量部に対して１〜２０重量部である。
【請求項８】
微小繊維の平均太さが０．０１〜１０μｍ、平均長さが０．０１〜１ｍｍである請求項１〜７の何れか１項に記載の二次電池用セパレータ。
【請求項９】
耐熱層（Ｂ）の厚みが０．５〜２０μｍであり、二次電池用セパレータの総厚みが１０〜５０μｍである請求項１〜８の何れか１項に記載の二次電池用セパレータ。
【請求項１０】
耐熱層（Ｂ）の坪量が１０ｇ／ｍ2以下である請求項１〜９の何れか１項に記載の二次電池用セパレータ。
【請求項１１】
多孔質基材層（Ａ）の表面に、微小繊維とバインダの溶媒分散液を塗布し、溶媒を揮発させることにより、多孔質基材層（Ａ）と、融点（融点がないものは分解温度）が２００℃以上である微小繊維とバインダとを含む不織布からなる耐熱層（Ｂ）とを含む二次電池用セパレータを得る、二次電池用セパレータの製造方法。
【請求項１２】
溶媒を揮発させた後、プレスする請求項１１に記載の二次電池用セパレータの製造方法。
【請求項１３】
請求項１〜１０の何れか１項に記載の二次電池用セパレータを備えた二次電池。
【手続補正書】
【提出日】令和2年10月8日(2020.10.8)
【手続補正１】
【補正対象書類名】特許請求の範囲
【補正対象項目名】全文
【補正方法】変更
【補正の内容】
【特許請求の範囲】
【請求項１】
電極活物質を集電体に結着させるために用いられるバインダー組成物であって、
上記バインダー組成物は、フッ化ビニリデン重合体とポリマー添加剤とを含み、
上記フッ化ビニリデン重合体は、フッ化ビニリデンに由来する構造単位とクロロトリフルオロエチレンに由来する構造単位とを含むフッ化ビニリデン共重合体を含み、
上記ポリマー添加剤は、以下の繰り返し単位：
−［ＣＨ２−ＣＨＲ］−
を有するポリマー材料であり、
上記バインダー組成物における上記ポリマー添加剤の含有量は、上記フッ化ビニリデン重合体と上記ポリマー添加剤との合計を１００質量％としたときに、２．５〜１０質量％であることを特徴とするバインダー組成物。
（上記繰り返し単位において、Ｒは、鎖状若しくは環状アミド基、ニトリル基、ヒドロキシ基、エステル含有基、または、炭素数１〜４のアルキル基であって、当該アルキル基の水素原子の少なくとも１つが鎖状若しくは環状アミド基、ニトリル基またはヒドロキシ基で置換されている置換基を示す。）
【請求項２】
上記繰り返し単位において、Ｒは、鎖状若しくは環状アミド基、ニトリル基またはヒドロキシ基であることを特徴とする請求項１に記載のバインダー組成物。
【請求項３】
上記ポリマー添加剤は、ポリビニルピロリドン、ポリアクリロニトリルまたはポリビニルアルコールであることを特徴とする請求項１または２に記載のバインダー組成物。
【請求項４】
上記フッ化ビニリデン共重合体は、カルボキシル基を有する単量体成分に由来する構造単位をさらに含むことを特徴とする請求項１から３のいずれか１項に記載のバインダー組成物。
【請求項５】
請求項１から４のいずれか１項に記載のバインダー組成物と、溶媒と、電極活物質とを含むことを特徴とする電極合剤。
【請求項６】
請求項５に記載の電極合剤から形成された電極合剤層を備えていることを特徴とする非水電解質二次電池。
【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
講習の受講者を登録する受講者登録ステップと、
登録された前記受講者が受講する前記講習であって実施開始前の講習又は実施途中の講習に関する特定情報を記録する記録ステップと、
求人条件を取得する求人条件取得ステップと、
取得された前記求人条件と記録された前記特定情報とに基づき、登録された前記受講者の中から前記求人条件に合致する受講者を選択する受講者選択ステップと、
選択された前記受講者に係る受講者情報を提供する受講者情報提供ステップと
を含む、情報提供方法。
【請求項２】
前記記録ステップにおいて、前記講習における前記受講者の受講実績に基づき予測される前記講習の修了予定を記録し、
前記受講者選択ステップにおいて、記録された前記修了予定が前記求人条件に合致する受講者を選択する、請求項１に記載の情報提供方法。
【請求項３】
前記記録ステップにおいて、前記受講者が受講中の複数の前記講習に関する前記特定情報を記録し、
前記受講者選択ステップにおいて、複数の前記講習に関する前記特定情報の組合せが前記求人条件に合致する受講者を選択する、請求項１又は２に記載の情報提供方法。
【請求項４】
前記求人条件取得ステップにおいて、飲食業における求人条件を取得し、
前記受講者選択ステップにおいて、前記飲食業に関係する前記特定情報が前記求人条件に合致する受講者を選択する、請求項１から３のいずれか一項に記載の情報提供方法。
【請求項５】
前記受講者選択ステップにおいて、取得された前記求人条件と記録された前記特定情報とのマッチングレベルを判定し、判定したマッチングレベルが前記求人条件に合致する受講者を選択し、
前記受講者情報提供ステップにおいて、選択された前記受講者に係るマッチングレベルを提供する、請求項１から４のいずれか一項に記載の情報提供方法。
【請求項６】
前記記録ステップにおいて、前記特定情報の正当性を保証することができる管理者が提供する情報源から前記特定情報を取得して記録する、請求項１から５のいずれか一項に記載の情報提供方法。
【請求項７】
取得された前記求人条件に係る情報と前記特定情報とを前記受講者に提供する求人情報提供ステップをさらに含む、請求項１から６のいずれか一項に記載の情報提供方法。
【請求項８】
前記特定情報は、前記講習の進捗状況である、
請求項１から７のいずれか一項に記載の情報提供方法。
【請求項９】
講習の受講者を登録する受講者登録部と、
登録された前記受講者が受講する前記講習であって実施開始前の講習又は実施途中の講習に関する特定情報を記録する記録部と、
求人条件を取得する求人条件取得部と、
取得された前記求人条件と記録された前記特定情報とに基づき、登録された前記受講者の中から前記求人条件に合致する受講者を選択する受講者選択部と、
選択された前記受講者に係る受講者情報を提供する受講者情報提供部と
を備える、情報提供装置。
【請求項１０】
コンピュータに、
講習の受講者を登録する受講者登録機能と、
登録された前記受講者が受講する前記講習であって実施開始前の講習又は実施途中の講習に関する特定情報を記録する記録機能と、
求人条件を取得する求人条件取得機能と、
取得された前記求人条件と記録された前記特定情報とに基づき、登録された前記受講者の中から前記求人条件に合致する受講者を選択する受講者選択機能と、
選択された前記受講者に係る受講者情報を提供する受講者情報提供機能と
を実現させるための情報提供プログラム。
【手続補正書】
【提出日】令和2年1月23日(2020.1.23)
【手続補正１】
【補正対象書類名】明細書
【補正対象項目名】００６７
【補正方法】変更
【補正の内容】
【００６７】
このように、本実施形態においては、入力される文字情報の少なくとも一部の情報を取得し、医用画像の解析結果を含み、医用画像に関連する医用情報を参照して、文字情報の少なくとも一部に関連する少なくとも１つのコンテンツ候補を提示し、少なくとも１つのコンテンツ候補から選択されたコンテンツが挿入された医療文書を作成するようにした。このため、操作者は、医用画像の解析結果に関連する少なくとも１つのコンテンツ候補から医療文書に入力するコンテンツを選択することができる。したがって、医療文書を作成する操作者の負担を軽減することができ、これにより、操作者は医療文書を容易に作成することができる。
【誤訳訂正書】
【提出日】令和2年1月23日(2020.1.23)
【誤訳訂正１】
【訂正対象書類名】明細書
【訂正対象項目名】００９４
【訂正方法】変更
【訂正の内容】
【００９４】
表１：尿素およびアクリル系ポリオールのカルバミル化組成物
【表１−１】
2016069635.tif 000001
【表１−２】
2016069635.tif 000002
【表１−３】
2016069635.tif 000003
【手続補正書】
【提出日】令和2年1月18日(2020.1.18)
【手続補正１】
【補正対象書類名】特許請求の範囲
【補正対象項目名】全文
【補正方法】変更
【補正の内容】
【特許請求の範囲】
【請求項１】
所定条件の成立に基づいて識別情報を変動表示する識別情報表示手段と、
遊技球が入球可能な入球可能状態と、遊技球が入球不能な入球不能状態と、に変化可能な可変入球口と、
前記識別情報の変動表示の結果が特定結果となると前記可変入球口を入球可能状態とする特別遊技を実行する特別遊技実行手段と、
第１の態様と、前記第１の態様よりも遊技球の入球可能性が高い第２の態様と、に変化可能な入球口と、
第１遊技状態と、前記第１遊技状態よりも前記入球口への入球頻度が高い第２遊技状態と、を設定可能な遊技状態設定手段と、
所定の遊技上の特典を実行する特典実行手段と、
前記第１遊技状態において前記特別遊技が実行されて前記第２遊技状態となってから、前記第１遊技状態において前記識別情報が変動表示されるまでの期間に実行された前記特別遊技の実行回数を計数する連続回数計数手段と、
を備えた遊技機であって、
前記特別遊技として、特定特別遊技を有し、
前記特典実行手段は、
予め定めた特定条件を満たして前記特定特別遊技が実行された場合、前記特典を実行し、
前記特定条件を満たすことなく前記特定特別遊技が実行された場合、前記特典を実行しないものとされ、
前記特定条件は、前記連続回数計数手段の計数値が所定回数以下のときに前記第２遊技状態において前記特定特別遊技が実行されることに基づいて成立する
ことを特徴とする遊技機。
【手続補正２】
【補正対象書類名】明細書
【補正対象項目名】０００７
【補正方法】変更
【補正の内容】
【０００７】
上述の課題を解決するための第１発明の遊技機は、
所定条件の成立に基づいて識別情報を変動表示する識別情報表示手段と、
遊技球が入球可能な入球可能状態と、遊技球が入球不能な入球不能状態と、に変化可能な可変入球口と、
前記識別情報の変動表示の結果が特定結果となると前記可変入球口を入球可能状態とする特別遊技を実行する特別遊技実行手段と、
第１の態様と、前記第１の態様よりも遊技球の入球可能性が高い第２の態様と、に変化可能な入球口と、
第１遊技状態と、前記第１遊技状態よりも前記入球口への入球頻度が高い第２遊技状態と、を設定可能な遊技状態設定手段と、
所定の遊技上の特典を実行する特典実行手段と、
前記第１遊技状態において前記特別遊技が実行されて前記第２遊技状態となってから、前記第１遊技状態において前記識別情報が変動表示されるまでの期間に実行された前記特別遊技の実行回数を計数する連続回数計数手段と、
を備えた遊技機であって、
前記特別遊技として、特定特別遊技を有し、
前記特典実行手段は、
予め定めた特定条件を満たして前記特定特別遊技が実行された場合、前記特典を実行し、
前記特定条件を満たすことなく前記特定特別遊技が実行された場合、前記特典を実行しないものとされ、
前記特定条件は、前記連続回数計数手段の計数値が所定回数以下のときに前記第２遊技状態において前記特定特別遊技が実行されることに基づいて成立する
ことを特徴とするものである。
【手続補正書】
【提出日】令和2年2月20日(2020.2.20)
【手続補正１】
【補正対象書類名】特許請求の範囲
【補正対象項目名】全文
【補正方法】変更
【補正の内容】
【特許請求の範囲】
【請求項１】
プレイヤによる価値媒体の支払いを受け付ける受付手段と、
前記受付手段が前記価値媒体の支払いを受け付けた場合に、前記印刷物に印刷するための複数の仮印刷内容の中から一つの仮印刷内容を決定する決定手段と、
前記仮印刷内容をプレイヤに報知する報知手段と、
前記仮印刷内容を前記印刷物に印刷することを許可するか否かについて、プレイヤによる選択を受け付ける選択手段と、
許可するという選択を前記選択手段が受け付けた場合には、前記仮印刷内容を印刷内容として確定し、前記印刷内容を前記印刷物に印刷し、許可しないという選択を前記選択手段が受け付けた場合には、前記印刷物に印刷しない印刷制御手段と、
を備える情報処理装置。
【請求項２】
許可しないという選択を前記選択手段が受け付けた場合には、前記印刷物以外の報酬を前記プレイヤに付与する付与手段を更に備える、
請求項１に記載の情報処理装置。
【請求項３】
前記報酬は、他のゲーム装置のゲームに使用可能な報酬を含む、
請求項２に記載の情報処理装置。
【請求項４】
前記報酬は、複数の仮印刷内容の中から一つの仮印刷内容をプレイヤが指定して印刷するために必要なデータを含む、
請求項２又は３に記載の情報処理装置。
【請求項５】
記憶手段と、
前記仮印刷内容が決定された場合に、印刷する予約情報を前記記憶手段に記憶し、許可するという選択を前記選択手段が受け付けて前記印刷制御手段が前記印刷物に印刷した場合、及び、許可しないという選択を前記選択手段が受け付けた場合、のそれぞれの場合に、前記予約情報に対して処理する処理手段と、
を更に備える請求項１乃至４の何れか１項に記載の情報処理装置。
【請求項６】
情報処理装置を、
プレイヤによる価値媒体の支払いを受け付ける受付手段、
前記受付手段が前記価値媒体の支払いを受け付けた場合に、前記印刷物に印刷するための複数の仮印刷内容の中から一つの仮印刷内容を決定する決定手段、
前記仮印刷内容をプレイヤに報知する報知手段、
前記仮印刷内容を前記印刷物に印刷することを許可するか否かについて、プレイヤによる選択を受け付ける選択手段、
許可するという選択を前記選択手段が受け付けた場合には、前記仮印刷内容を印刷内容として確定し、前記印刷内容を前記印刷物に印刷し、許可しないという選択を前記選択手段が受け付けた場合には、前記印刷物に印刷しない印刷制御手段、
として機能させるためのプログラム。
【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
部品と、
前記部品の一部をなすＩＣチップと、
前記ＩＣチップを含む前記部品を有する製造物責任者情報利用装置と、を備え、
前記ＩＣチップは、一方が前記ＩＣチップと対応し、他方が前記部品と対応する２つの製造物責任者情報を送信する第１手段を備え、
前記製造物責任者情報利用装置は、前記製造物責任者情報を前記ＩＣチップから受信する第２手段と、前記製造物責任者情報を利用して前記ＩＣチップおよび前記部品の各々がともに正規品か否かを判定する第３手段と、を備える、
システムに用いることを特徴とするＩＣチップ。
【請求項２】
部品と、
前記部品の一部をなすモジュールと、
前記モジュールを含む前記部品を有する製造物責任者情報利用装置と、を備え、
前記モジュールは、一方が前記モジュールと対応し、他方が前記部品と対応する２つの製造物責任者情報を送信する第１手段を備え、
前記製造物責任者情報利用装置は、前記製造物責任者情報を前記モジュールから受信する第２手段と、前記製造物責任者情報を利用して前記モジュールおよび前記部品の各々がともに正規品か否かを判定する第３手段と、を備える、
システムに用いることを特徴とするモジュール。
【請求項３】
請求項１に記載のＩＣチップまたは請求項２に記載のモジュールを備えることを特徴とする部品。
【請求項４】
請求項１または２に記載のシステムに用いることを特徴とする製造物責任者情報利用装置。
【請求項５】
プロセッサを、
請求項１または２に記載のシステムに用いる前記第１ないし第３手段の何れかとして機能させるための制御プログラム。
【手続補正２】
【補正対象書類名】明細書
【補正対象項目名】０００６
【補正方法】変更
【補正の内容】
【０００６】
上記課題を解決するために本発明のシステムにおいて、部品と、前記部品の一部をなすＩＣチップと、前記ＩＣチップを含む前記部品を有する製造物責任者情報利用装置と、を備え、前記ＩＣチップは、一方が前記ＩＣチップと対応し、他方が前記部品と対応する２つの製造物責任者情報を送信する第１手段を備え、前記製造物責任者情報利用装置は、前記製造物責任者情報を前記ＩＣチップから受信する第２手段と、前記製造物責任者情報を利用して前記ＩＣチップおよび前記部品の各々がともに正規品か否かを判定する第３手段と、を備えることを特徴とする。
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
体験者が沼地や湿地を歩く感覚を体験するための仮想現実体験システムであって、
固体粒子と、
前記体験者が歩くための、前記固体粒子が充填されて固体粒子層を形成する上面開放の容器と、
前記容器内の底部に設けられ前記固体粒子層に流体を噴出することにより前記固体粒子層を流動化させる流体噴出手段と、
前記流体噴出手段から噴出する流体噴出量を制御することによって、前記体験者が前記固体粒子層内を歩いたとき、通常の砂の路面を歩く感覚から沼や池のような湿地状体を歩く感覚まで、味わえる感覚の種類を変えるための噴出量制御手段と、
を備えたことを特徴とする仮想現実体験システム。
【請求項２】
前記体験者が体感しようとする仮想現実に応じて、視覚的、聴覚的、触覚的、力覚的の少なくとも１つの感覚を付与する感覚付与手段を備えた請求項１に記載の仮想現実体験システム。
【請求項３】
前記感覚付与手段として、前記湿地の映像を表示する視覚的感覚付与手段、前記湿地の音を発生させる聴覚的感覚付与手段、前記湿地の匂いを発生させる嗅覚的感覚付与手段、及び前記湿地の風を発生させる触覚的感覚付与手段の少なくとも１つを更に備えた請求項２に記載の仮想現実体験システム。
【請求項４】
前記固体粒子層の表面をスクリーンとし、投影手段により前記スクリーンに映像を投影する請求項１から３の何れか１項に記載の仮想現実体験システム。
【手続補正書】
【提出日】令和2年10月22日(2020.10.22)
【手続補正１】
【補正対象書類名】特許請求の範囲
【補正対象項目名】全文
【補正方法】変更
【補正の内容】
【特許請求の範囲】
【請求項１】
中空器官の表面（２３）の画像を取得するように適合され、所定の軸方向長さおよび前記軸方向長さよりも小さい直径を有するカプセル内視鏡（１５）であって、
少なくとも一部が光透過性材料で構成されたカプセル内視鏡（１５）のハウジングを通して、前記カプセル内視鏡（１５）の径方向の外表面（９）上の所定の画像取得領域（１２）に存在する前記中空器官の表面（２３）の一部の顕微鏡画像を取得するように、光軸が前記カプセル内視鏡（１５）の径方向に向けられる、顕微鏡画像取得アセンブリ（２６）と、
画像取得中に前記ハウジングの前記光透過性材料を介して前記カプセル内視鏡（１５）の径方向に光線を放射するように適合された光源（２９）と、
を備え、
前記ハウジングの前記光透過性材料に組み込まれた前記光源（２９）と、前記光源（２９）と前記所定の画像取得領域（１２）との間に位置する前記ハウジングの前記光透過性材料とが、実質的に同じ屈折率を有し、前記光源（２９）と前記所定の画像取得領域（１２）との間の屈折界面が回避されるように、相互に接続され、
前記カプセル内視鏡（１５）の前記外表面（９）には、凹部（２７）を備え、
前記凹部（２７）の位置は、前記カプセル内視鏡（１５）の前記外表面（９）上の前記画像取得領域（１２）の位置と少なくとも部分的に一致するカプセル内視鏡。
【請求項２】
前記光源（２９）は、前記光透過性材料とは別個の構成要素に直接組み込まれるか、埋設されるか、またはモールド成形され、前記別個の構成要素は前記ハウジングの前記光透過性材料に直接組み込まれるか、埋設されるか、またはモールド成形される請求項１に記載のカプセル内視鏡。
【請求項３】
前記別個の構成要素の前記光透過性材料および前記ハウジングの前記光透過性材料は、実質的に同じ屈折率を有する請求項２に記載のカプセル内視鏡。
【請求項４】
前記顕微鏡画像取得アセンブリ（２６）は、前記ハウジング内に設けられた管腔（１３）内に、または前記ハウジングの前記光透過性材料の内側に配置され、
光軸方向に見たときに、前記顕微鏡画像取得アセンブリ（２６）の上方に別個の歪み防止要素（２８）が設けられ、
前記別個の歪み防止要素（２８）は、光軸方向に見たときに前記管腔（１３）の上側境界を形成するために前記ハウジングの前記光透過性材料と相互接続されるとともに、前記管腔（１３）内に存在する流体と前記歪み防止要素（２８）との間の境界で屈折界面が生じないように適合されている請求項１ないし３のいずれか１つに記載のカプセル内視鏡。
【請求項５】
前記歪み防止要素（２８）は、前記管腔（１３）の上側境界を形成する一方の側に、前記ハウジングの内側表面の構造と異なるとともに、前記歪み防止要素（２８）の表面における屈折を低減するように適合されている所定の表面構造を有する請求項４に記載のカプセル内視鏡。
【請求項６】
前記カプセル内視鏡（１５）の重心（３１）が前記カプセル内視鏡（１５）の幾何学的中心点（３２）からずれている請求項１ないし５のいずれか１つに記載のカプセル内視鏡。
【請求項７】
前記カプセル内視鏡（１５）の前記重心（３１）が、前記カプセル内視鏡（１５）の前記幾何学的中心点（３２）から、カプセル内視鏡（１５）の前記外表面（９）上の前記画像取得領域（１２）の位置に向かってずれている請求項６に記載のカプセル内視鏡。
【請求項８】
さらに、前記画像取得領域（１２）に近接する物体の存在を検出するように構成された近接検出アセンブリ（１９）を備え、
前記近接検出アセンブリ（１９）による検出結果が肯定的である場合には、前記顕微鏡画像取得アセンブリ（２６）および前記光源（２９）を作動させる請求項１ないし７のいずれか１つに記載のカプセル内視鏡。
【請求項９】
さらに、前記顕微鏡画像取得アセンブリ（２６）の画像取得動作と優先的にまたは同時に、前記カプセル内視鏡（１５）のより大きな周囲の巨視的画像を取得するように適合された巨視的状況画像取得アセンブリ（２１）を備える請求項１ないし８のいずれか１つに記載のカプセル内視鏡。
【請求項１０】
前記光源（２９）は、鋳造、モールド成形、グラウチング、ポッティング、圧入、埋設により、および／または、直接的または間接的に前記ハウジングの前記光透過性材料と実質的に同じ屈折率を有する中間カップリング流体を介して、前記ハウジングの前記光透過性材料と相互接続される請求項１ないし９のいずれか１つに記載のカプセル内視鏡。
【請求項１１】
前記光源（２９）が相互に接続または一体化されている前記ハウジングの前記光透過性材料が、前記カプセル内視鏡（１５）の前記ハウジングの外層も構成している請求項１ないし１０のいずれか１つに記載のカプセル内視鏡。
【請求項１２】
請求項１ないし１１のいずれか１つに記載のカプセル内視鏡（１５）を用いて中空器官の表面（２３）の顕微鏡画像を取得する方法であって、
前記カプセル内視鏡（１５）の表面と前記中空器官の表面（２３）との間の空間は、前記カプセル内視鏡（１５）の表面と流体との間の屈折界面を回避するように選択された前記流体で満たされている方法。
【請求項１３】
請求項１ないし１１のいずれか１つに記載のカプセル内視鏡（１５）を用いており、
前記カプセル内視鏡（１５）の表面の前記凹部（２７）が、前記カプセル内視鏡（１５）の表面と前記流体との間の屈折界面を回避するように選択された前記流体で満たされている請求項１２に記載の方法。
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
対象の領域を通る軸スライスを表す複数のボクセルを備えた画像（１１５）を複数獲得するステップ（２００）と、
高濃度画像と低濃度画像との境界を規定することによって、筋肉領域と皮下領域との間の筋膜層を規定するステップ（２１０）と、
血管の第１の目印および第２の目印を決定するステップと、
前記血管に沿って脈管方向を解析することを含む自動追跡手順により、前記血管の前記第１の目印と前記筋膜層との間の皮下経路を計算するステップ（２１５）と、
前記ボクセルを解析することにより前記筋膜層と前記第２の目印との間の筋肉内経路を計算し、前記ボクセルの血管性によって与えられる最小コスト経路を自動的に決定するステップ（２２０）とを含み、
前記第１の目印が前記筋膜層の一方の側にあり、前記第２の目印が前記筋膜層の他方の側にある、血管のセグメンテーションの方法。
【請求項２】
獲得した前記複数の画像のグレースケールを二値画像に換算するステップを更に含む、請求項１に記載の方法。
【請求項３】
前記複数の画像からアーチファクトを除去するステップ（５１０、５６０）を更に含む、請求項１または２に記載の方法。
【請求項４】
前記画像中の前記アーチファクトが、皮膚に関連するピクセル、即ち連続特徴における空白、を含む、請求項３に記載の方法。
【請求項５】
前記脈管方向の前記解析が局所勾配ベクトルの解析によって推定される、請求項１から４のいずれか一項に記載の方法。
【請求項６】
前記血管の中心が、前記複数の獲得画像における前記ボクセルの濃度変化から決定される、請求項１から５のいずれか一項に記載の方法。
【請求項７】
前記ボクセルの前記血管性がFrangiの方法によって決定される、請求項１から６のいずれか一項に記載の方法。
【請求項８】
対象領域の軸スライスの複数の画像（１１５）を格納するデータベース（１１０）と、
請求項１から７のいずれか一項に記載の方法を実施するソフトウェアを用いて、前記複数の画像を解析するように構成されたプロセッサ（１３０）と、
前記ソフトウェアからの結果を出力する表示デバイス（１４０）と
を備える、血管のセグメンテーションの装置。
【請求項９】
非有形のコンピュータ可読媒体に格納され、プロセッサ（１３０）によって実行される際に、請求項１から７のいずれか一項に記載の方法を前記プロセッサ（１３０）に実施させる複数の命令を含む、コンピュータプログラム製品。
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
複数の区間に分割されたき電線の一つの区間に設けられ、該一つの区間を通行する電気車への電力供給または該一つの区間を通行する電気車からの電力回生を行う電力変換装置の冷却装置であって、冷却水を循環させるポンプと、該ポンプの制御を行うコントローラと、を備える冷却装置における冷却水流量制御方法であって、
前記一つの区間に隣接する他の区間に、前記冷却水の流量が前記電力変換装置の冷却に必要な流量となるように、前記ポンプの制御を開始する冷却開始電気車位置を予め設定し、
前記一つの区間に、前記冷却水の流量が所定の最低流量となるように前記ポンプの制御を行う冷却停止電気車位置を予め設定し、
前記コントローラが、
電気車の現在位置と、当該現在位置における前記電気車の現在消費電力または現在回生電力を受信し、
前記冷却開始電気車位置を通過した電気車の現在消費電力または現在回生電力に応じて、前記冷却水の流量が前記電力変換装置の冷却に必要な流量となるように前記ポンプを制御し、
前記冷却開始電気車位置と前記冷却停止電気車位置の間を通行する電気車がない場合、前記冷却水の流量が所定の最低流量となるように前記ポンプを制御する
ことを特徴とする冷却水流量制御方法。
【請求項２】
前記コントローラは、前記電気車の現在消費電力と当該現在消費電力における前記電力変換装置の発熱量に応じた冷却水流量の相関を示す目標流量設定用マップ、または、前記電気車の現在回生電力と当該現在回生電力における前記電力変換装置の発熱量に応じた冷却水流量の相関を示す目標流量設定用マップに基づいて、前記電力変換装置の冷却に必要な冷却水の流量を決定し、決定された流量となるように前記ポンプを制御する
ことを特徴とする請求項１に記載の冷却水流量制御方法。
【請求項３】
前記電気車の現在位置、当該現在位置における前記電気車の現在消費電力及び現在回生電力の情報を、前記電力変換装置の外部に設けられた司令所に集約し、
前記コントローラは、前記司令所に集約された情報を受信して、前記ポンプを制御する
ことを特徴とする請求項１または請求項２に記載の冷却水流量制御方法。
【手続補正２】
【補正対象書類名】明細書
【補正対象項目名】発明の名称
【補正方法】変更
【補正の内容】
【発明の名称】冷却水流量制御方法